(57)【特許請求の範囲】
【請求項１】
表示部を有する電子モジュールと、
前記電子モジュールよりも上側に積層された透明基材層と、
前記透明基材層よりも上側又は下側に設けられた印刷層とを備え、
前記印刷層は、下側から順に少なくとも銀色系隠蔽印刷層、絵柄印刷層を備え、
カード上面を法線方向から見たときに、
前記表示部に対応した領域に設けられ、前記印刷層が設けられておらず、前記透明基材層を透過して前記表示部を視認可能な窓部を備え、
前記窓部周囲の印刷範囲の縁は、前記窓部内側から前記銀色系隠蔽印刷層、前記絵柄印刷層の順であること、
を特徴とする電子モジュール内蔵カード。
【請求項２】
表示部を有する電子モジュールと、
前記電子モジュールよりも上側に積層された透明基材層と、
前記透明基材層よりも上側又は下側に設けられた印刷層とを備え、
前記印刷層は、下側から順に少なくとも銀色系隠蔽印刷層、絵柄印刷層を備え、
前記銀色系隠蔽印刷層、前記絵柄印刷層間に積層された白色系印刷層を備え、
カード上面を法線方向から見たときに、
前記表示部に対応した領域に設けられ、前記印刷層が設けられておらず、前記透明基材層を透過して前記表示部を視認可能な窓部を備え、
前記窓部周囲の印刷範囲の縁は、前記窓部内側から前記白色系印刷層、前記銀色系隠蔽印刷層の順であること、
を特徴とする電子モジュール内蔵カード。
【請求項３】
表示部を有する電子モジュールと、
前記電子モジュールよりも上側に積層された透明基材層と、
前記透明基材層よりも上側又は下側に設けられた印刷層とを備え、
前記印刷層は、下側から順に少なくとも銀色系隠蔽印刷層、絵柄印刷層を備え、
前記銀色系隠蔽印刷層、前記絵柄印刷層間に積層された白色系印刷層を備え、
カード上面を法線方向から見たときに、
前記表示部に対応した領域に設けられ、前記印刷層が設けられておらず、前記透明基材層を透過して前記表示部を視認可能な窓部を備え、
前記窓部周囲の印刷範囲の縁は、前記窓部内側から前記白色系印刷層、前記銀色系隠蔽印刷層、前記絵柄印刷層の順であること、
を特徴とする電子モジュール内蔵カード。
【請求項４】
表示部を有する電子モジュールと、
前記電子モジュールよりも上側に積層された透明基材層と、
前記透明基材層よりも上側又は下側に設けられた印刷層とを備え、
前記印刷層は、下側から順に少なくとも銀色系隠蔽印刷層、絵柄印刷層を備え、
前記銀色系隠蔽印刷層、前記絵柄印刷層間に積層された白色系印刷層を備え、
カード上面を法線方向から見たときに、
前記表示部に対応した領域に設けられ、前記印刷層が設けられておらず、前記透明基材層を透過して前記表示部を視認可能な窓部を備え、
前記窓部周囲の印刷範囲の縁は、前記窓部内側から前記銀色系隠蔽印刷層、前記白色系印刷層の順であること、
を特徴とする電子モジュール内蔵カード。
【請求項５】
表示部を有する電子モジュールと、
前記電子モジュールよりも上側に積層された透明基材層と、
前記透明基材層よりも上側又は下側に設けられた印刷層とを備え、
前記印刷層は、下側から順に少なくとも銀色系隠蔽印刷層、絵柄印刷層を備え、
前記銀色系隠蔽印刷層、前記絵柄印刷層間に積層された白色系印刷層を備え、
カード上面を法線方向から見たときに、
前記表示部に対応した領域に設けられ、前記印刷層が設けられておらず、前記透明基材層を透過して前記表示部を視認可能な窓部を備え、
前記窓部周囲の印刷範囲の縁は、前記窓部内側から前記銀色系隠蔽印刷層、前記絵柄印刷層、前記白色系印刷層の順であること、
を特徴とする電子モジュール内蔵カード。
【発明の詳細な説明】
【技術分野】
【０００１】
本発明は、表示部を有する電子モジュール内蔵カードに関するものである。
【背景技術】
【０００２】
従来、表示装置を有するモジュールを内蔵するカードがあった（例えば特許文献１）。
しかし、従来のカードは、樹脂（プラスチック）層に孔部を設けて、透明材を埋め込んでいた。このため、従来のカードは、位置合わせ等が困難であり、製造が困難であった。
また、樹脂層の厚みは、薄く、さらに、デザイン等に対応した基材色では、隠蔽力の強い樹脂を使用できない場合等がある。このような場合には、従来のカードは、モジュールが透けて見えてしまう場合があった。
さらに、従来のカードは、カードに内蔵した表示装置と、透明材の位置について、精度の高い位置合わせが要求され、製造が困難であった。
さらにまた、従来のカードは、カード表面を平滑にするために、樹脂層の表面と透明材の表面の高さを調整することも要求され、製造がさらに困難であった。
【先行技術文献】
【特許文献】
【０００３】
【特許文献１】特表２０１０−５３６０７３号公報
【発明の概要】
【発明が解決しようとする課題】
【０００４】
本発明の課題は、製造が簡単であり、モジュールを十分に隠蔽できる電子モジュール内蔵カードを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、表示部（１２）を有する電子モジュール（１０）と、前記電子モジュールよりも上側に積層された透明基材層（３０，２３０，３３０，５３０）と、前記透明基材層よりも上側に設けられた印刷層とを備え、前記印刷層は、下側から順に少なくとも銀色系隠蔽印刷層（３１，２３１，３３１，５３１）、絵柄印刷層（３３，２３３，３３３，５３３）を備え、カード上面を法線方向から見たときに、前記表示部に対応した領域に設けられ、前記印刷層が設けられておらず、前記透明基材層を透過して前記表示部を視認可能な窓部（５０，２５０，５５０）を備えること、を特徴とする電子モジュール内蔵カードである。
・第２の発明は、第１の発明の電子モジュール内蔵カードにおいて、前記絵柄印刷層上に設けられ、前記絵柄印刷層を保護するオーバーシート層を備えること、を特徴とする電子モジュール内蔵カードである。
・第３の発明は、表示部（１２）を有する電子モジュール（１０）と、前記電子モジュールよりも上側に積層された透明基材層（４３０）と、前記透明基材層よりも下側に設けられた印刷層とを備え、前記印刷層は、下側から順に少なくとも銀色系隠蔽印刷層（４３１）、絵柄印刷層（４３３）を備え、カード上面を法線方向から見たときに、前記表示部に対応した領域に設けられ、前記印刷層が設けられておらず、前記透明基材層を透過して前記表示部を視認可能な窓部（４５０）を備えること、を特徴とする電子モジュール内蔵カードである。
・第４の発明は、第１から第３までのいずれかの発明の電子モジュール内蔵カードにおいて、カード上面を法線方向から見たときに、前記窓部周囲の印刷範囲の縁は、前記窓部（４５０）内側から前記銀色系隠蔽印刷層（４３１）、前記絵柄印刷層（４３３）の順であること、を特徴とする電子モジュール内蔵カード。
・第５の発明は、第１から第４までのいずれかの発明の電子モジュール内蔵カードにおいて、前記銀色系隠蔽印刷層（３１，２３１，３３１，４３１）、前記絵柄印刷層（３３，２３３，３３３，４３３）間に積層された白色系印刷層を備えること、を特徴とする電子モジュール内蔵カードである。
・第６の発明は、第５の発明の電子モジュール内蔵カードにおいて、カード上面を法線方向から見たときに、前記窓部周囲の印刷範囲の縁は、前記窓部（５０）内側から前記白色系印刷層（３２）、前記銀色系隠蔽印刷層（３１）の順であること、を特徴とする電子モジュール内蔵カードである。
・第７の発明は、第５の発明の電子モジュール内蔵カードにおいて、カード上面を法線方向から見たときに、前記窓部（５０）周囲の印刷範囲の縁は、前記窓部（５０）内側から前記白色系印刷層（３２）、前記銀色系隠蔽印刷層（３１）、前記絵柄印刷層（３３）の順であること、を特徴とする電子モジュール内蔵カードである。
・第８の発明は、第５の発明の電子モジュール内蔵カードにおいて、カード上面を法線方向から見たときに、前記窓部（２５０）周囲の印刷範囲の縁は、前記窓部内側から前記銀色系隠蔽印刷層（２３１）、前記白色系印刷層（２３２）の順であること、を特徴とする電子モジュール内蔵カードである。
・第９の発明は、第５の発明の電子モジュール内蔵カードにおいて、カード上面を法線方向から見たときに、前記窓部（２５０）周囲の印刷範囲の縁は、前記窓部内側から前記銀色系隠蔽印刷層（２３１）、前記絵柄印刷層（２３３）、前記白色系印刷層（２３２）の順であること、を特徴とする電子モジュール内蔵カードである。
【発明の効果】
【０００７】
本発明によれば、製造が簡単であり、モジュールを十分に隠蔽できる電子モジュール内蔵カードを提供できる。
【図面の簡単な説明】
【０００８】
【図１】第１実施形態のカード１の平面図、断面図である。
【図２】第１実施形態のカード１の内部構造を説明する平面図である。
【図３】第２実施形態のカード２０１の平面図、断面図である。
【図４】第３実施形態のカード３０１の窓部５０近傍を拡大して示す断面図である。
【図５】第４実施形態のカード４０１の平面図、断面図である。
【図６】第５実施形態のカード５０１の平面図、断面図である。
【発明を実施するための形態】
【０００９】
（第１実施形態）
以下、図面等を参照して、本発明の第１実施形態について説明する。
図１は、第１実施形態のカード１の平面図、断面図である。
図１（ａ）は、カード１の平面図である。
図１（ｂ）は、カード１の断面図（図１（ａ）のｂ−ｂ断面図）である。
図１（ｃ）は、窓部５０近傍を拡大して示す断面図である。
図２は、第１実施形態のカード１の内部構造を説明する平面図である。
なお、図１（ｂ）は、層構成を明確にするために、白印刷層３２の縁部３２ａは、内側に突出しているように示すが、実際には、図１（ｃ）にように、上透明基材３０上に印刷されている。
【００１０】
実施形態では、カード上面１ａ（券面）の法線方向を上下方向（積層方向）Ｚにして、カード上面１ａ等を見た図を、適宜平面図という。また、平面図におけるカード１の長手方向を左右方向Ｘ、短手方向を縦方向Ｙとする。平面図における形状を、適宜平面形状という。
なお、各図面において、上下方向Ｚ、窓部５０近傍等の構成等は、明確に図示するために、適宜大きさを誇張する。
図１に示すように、カード１は、厚さが０．８ｍｍ程度のカードである。カード１は、認証パスワード（いわゆるワンタイムパスワード）を生成する機能を有するが、特にこの機能には限定されない。
【００１１】
最初に、カード内部に内蔵される電子モジュール１０について説明する。
図２に示すように、電子モジュール１０は、基板１１、表示部１２、ボタン１３、電池１４、ＩＣチップ１５等の電子部品を備える。
基板１１は、リジット又はフレキシブルタイプのプリント配線基板である。
表示部１２は、ワンタイムパスワードを表示する表示装置である。表示部１２は、例えば電子ペーパディスプレイ、液晶ディスプレイ等である。表示部１２は、基板１１に実装されている。表示部１２は、ケーブル１２ａによって、基板１１に接続されている。
ボタン１３は、押しボタンである。ボタン１３は、例えば、基板１１に実装されたドームスイッチ等である。ボタン１３は、操作情報をＩＣチップ１５に出力する。
【００１２】
電池１４は、電子モジュール１０の表示部１２、ＩＣチップ１５等に電力を供給する部材である。電池１４は、接続端子１４ａによって、基板１１に接続及び固定されている。
ＩＣチップ１５は、電子モジュール１０を制御する制御装置である。ＩＣチップ１５は、基板１１に実装されている。ＩＣチップ１５は、電池１４から電力を供給されて駆動する。ＩＣチップは、電子モジュール１０の処理を制御する制御プログラム等を記憶した記憶装置（図示せず）を備える。
【００１３】
電子モジュール１０の動作を説明する。
利用者によって、カード上面１ａのボタン操作範囲３０ｂ（図１（ａ）参照）が押圧されると、ＩＣチップ１５は、ボタン１３の出力に基づいて、ワンタイムパスワードを生成し、このワンタイムパスワードを表示部１２に表示する。
なお、詳細な説明は、省略するが、その他の構成として、接触用端子、ループアンテナ等を設けて、外部機器（カードリーダ）との間で通信してもよい。
【００１４】
カード１の構成について説明する。
図１に示すように、カード１は、枠体２１の上側Ｚ２に上透明基材３０を備え、また、枠体２１の下側Ｚ１に下透明基材２０を備える。これらの層間は、接着材等により接着されている。
枠体２１は、電子モジュール１０を収容する層である。枠体２１内部には、接着材等が充填されており、この接着材等が、電子モジュール１０を保持している。
【００１５】
上透明基材３０は、透明又は半透明な透光性を有する材料により形成されている。
上透明基材３０上には、磁気ストライプ３０ａと、印刷層として銀隠蔽印刷層３１（銀色系隠蔽印刷層）、白印刷層３２（白色系印刷層）、上絵柄印刷層３３とが設けられている。銀隠蔽印刷層３１、白印刷層３２、上絵柄印刷層３３は、下側Ｚ１から順に設けられている。
【００１６】
磁気ストライプ３０ａは、上透明基材３０直上に設けられている。平面図において、磁気ストライプ３０ａは、左右方向Ｘに帯状に設けられている。磁気ストライプ３０ａには、銀行の口座番号に関する情報等が記録されている。この情報は、リーダ（図示せず）を用いて、読み取りできる。
【００１７】
銀隠蔽印刷層３１は、上透明基材３０及び磁気ストライプ３０ａ直上に、シルク印刷等により設けられている。銀隠蔽印刷層３１は、銀色系の印刷層である。銀隠蔽印刷層３１のインクは、光を通過させない十分な隠蔽力を有する。このため、電子モジュール１０及び磁気ストライプ３０ａは、銀隠蔽印刷層３１によって隠蔽され、看者がカード上面１ａを観察しても、視認しづらくなるように工夫されている。
【００１８】
白印刷層３２は、銀隠蔽印刷層３１直上に、シルク印刷等により設けられている。白印刷層３２は、白色系の印刷層である。白印刷層３２は、上絵柄印刷層３３の色彩を、所望の発色にする。つまり、上絵柄印刷層３３を銀隠蔽印刷層３１上に設けると、銀隠蔽印刷層３１の銀色の影響で、絵柄の色彩が違う色に見えてしまう場合がある。白印刷層３２は、銀隠蔽印刷層３１の銀色を隠蔽して、上絵柄印刷層３３を所望の色彩に発色できる。
【００１９】
上絵柄印刷層３３は、白印刷層３２直上に設けられ、カード１の最上面に配置される。上絵柄印刷層３３は、例えば、ＰＥＴ上に設けられた転写箔を加圧して転写して形成される。上絵柄印刷層３３上面は、鏡面状でも、マット状でもよい。
上絵柄印刷層３３に印刷された絵柄は、カード上面１ａから観察可能であり、文字、記号、図形からなる各情報等を有する。ボタン操作範囲３０ｂには、利用者に操作位置を示すために、「押」と印刷されている。
【００２０】
下透明基材２０は、上透明基材３０と同様な材料により形成されている。
下絵柄印刷層４１は、下透明基材２０直下に設けられている。下絵柄印刷層４１は、上絵柄印刷層３３と同様に、転写等により設けられる。なお、下絵柄印刷層４１は、看者がカード下面を観察した場合に電子モジュール１０等を隠蔽できるように、銀隠蔽印刷層３１等と同様な隠蔽層等を備えていてもよい。
【００２１】
カード１は、印刷済みの下透明基材２０、上透明基材３０を予め製造し、これらを枠体２１の下側Ｚ１、上側Ｚ２に積層して、ラミネートして製造する。
カード１の各層厚みの一例は、以下の通りである。
上透明基材３０上の印刷層：１〜５μｍ
上透明基材３０：１００μｍ
枠体２１：４５０μｍ
下透明基材２０：１００μｍ
下絵柄印刷層：１〜５μｍ
このように、カード１は、枠体２１を介して、上下同様な層構成にし、かつ、同様な厚みにすることにより、ラミネートにともなう反りを低減できる。
【００２２】
窓部５０の形態について説明する。
図１に示すように、窓部５０は、表示部１２に対応した領域に設けられている。看者は、窓部５０内部の上透明基材３０を透過して、表示部１２の表示内容を視認できる。
窓部５０は、銀隠蔽印刷層３１、白印刷層３２、上絵柄印刷層３３が部分的に印刷されない抜き状態にすることにより形成される。
各印刷範囲の縁部は、窓部５０内側から白印刷層３２（印刷範囲Ａ３２）、銀隠蔽印刷層３１（印刷範囲Ａ３１）、上絵柄印刷層３３（印刷範囲Ａ３３）の順である。
このため、窓部５０周囲の印刷層は、以下のように観察される。
白印刷層３２の縁部３２ａは、窓部５０の縁部を形成するように、内側に露出している。このように、枠状に白印刷層３２の白色を露出させたのは、例えば、デザインの要求に応えるためである。
図１（ｂ）に示すように、範囲Ｂ１の範囲では、銀隠蔽印刷層３１が白印刷層３２の下側Ｚ１に存在し、その内側の範囲では、存在しない状態である。このため、白印刷層３２の露出範囲Ｂ２において、銀隠蔽印刷層３１の銀色が枠状に透けて見える範囲Ｂ１と、その内側とでは、白色の色彩が変わる場合がある。
しかし、この場合であっても、白印刷層３２の露出範囲Ｂ２は、例えば１ｍｍ程度以内と小さい。また、この小さい幅の中に、３つの縁部（白印刷層３２の縁部（内側の境界）、銀隠蔽印刷層３１の縁部、上絵柄印刷層３３の縁部（外側の境界））が連続して配置される。このため、この白色の色彩が変わる様子は、目立たない。このため、看者が窓部５０周囲を観察しても、違和感はない。
【００２３】
上絵柄印刷層３３は、窓部５０直近まで、白印刷層３２上に配置される。このため、上絵柄印刷層３３は、窓部５０直近まで、所望の色彩に発色できる。
銀隠蔽印刷層３１は、窓部５０周囲に露出しない。前述したように、銀隠蔽印刷層３１は、仮に、透けて見えてしまっても、違和感がない。
【００２４】
なお、カード１は、窓部５０周囲の印刷縁部を、このように段階的に変えるので、印刷ズレがあった場合でも目立たない。これにより、カード１は、印刷時の位置精度を軽減でき、製造効率を向上できる。
【００２５】
以上説明したように、本実施形態のカード１は、表示部１２を視認可能にし、かつ、電子モジュール１０を隠蔽するために、上透明基材３０に印刷して窓部５０を設ければよいので、製造が簡単である。また、銀隠蔽印刷層３１を設けるので、電子モジュール１０を十分に隠蔽できる。
さらに、カード１は、窓部５０直近まで所望の色彩に発色でき、また、製造効率を向上できる。
さらにまた、カード１は、窓部５０を、上透明基材３０に印刷層を設けて形成するので、窓部５０周囲を平滑にできるし、また、上透明基材３０への孔加工が必要ない。これにより、製造効率をさらに向上できる。
【００２６】
（第２実施形態）
次に、本発明の第２実施形態について説明する。
なお、以下の各実施形の説明及び図面において、前述した第２実施形態と同様の機能を果たす部分には、同一の符号又は末尾（下２桁）に同一の符号を付して、重複する説明を適宜省略する。
図３は、第２実施形態のカード２０１の平面図、断面図（図１に対応する図）である。
なお、図３（ｂ）は、層構成を明確にするために、上絵柄印刷層２３３の縁部２３３ａは、内側に突出しているように示すが、実際には、図３（ｃ）にように、銀隠蔽印刷層２３１上に印刷されている。
第２実施形態のカード２０１は、窓部２５０周囲の印刷範囲を、第１実施形態から変更したものであり、その他の構成は、第１実施形態と同様である。
【００２７】
窓部２５０周囲の印刷範囲の縁部は、窓部２５０内側から銀隠蔽印刷層２３１（印刷範囲Ａ２３１）、上絵柄印刷層２３３（印刷範囲Ａ２３３）、白印刷層２３２（印刷範囲Ａ２３２）の順である。
このため、窓部２５０周囲の印刷層は、以下のように観察される。
銀隠蔽印刷層２３１の縁部２３１ａは、窓部２５０の縁部を形成するように、内側に露出している。このように、枠状に銀色を露出させたのは（図３（ａ）参照）、例えば、デザインの要求に応えるためである。
白印刷層２３２は、窓部２５０周囲に露出しない。
上絵柄印刷層２３３は、範囲Ｂ２０１では、白印刷層２３２が下側Ｚ１に存在しない状態なので、銀隠蔽印刷層２３１の銀色が枠状に透けて見える場合がある。この場合であっても、この枠状の幅は、十分に小さいので（例えば範囲Ｂ２０１の幅が１ｍｍ程度以内）、かつ、すぐ内側に銀隠蔽印刷層２３１の縁部２３１ａがあるので、この枠状の部分は、目立たない。このため、看者が窓部２５０周囲を観察しても、違和感はない。
【００２８】
以上の形態により、本実施形態のカード２０１は、第１実施形態と同様な効果を奏する。
また、券面（上絵柄印刷層２３３）が黒色等の暗色系のデザインの場合は、窓部２５０周囲の白色を、目立たないように隠蔽することを要求されることがある。このような場合でも、銀隠蔽印刷層２３１で電子モジュール１０を隠蔽しながらも、上絵柄印刷層２３３で白印刷層２３２を見えないようにすることができる。
【００２９】
（第３実施形態）
次に、本発明の第３実施形態について説明する。
図４は、第３実施形態のカード３０１の窓部５０近傍を拡大して示す断面図である。
第３実施形態では、窓部５０周囲に露出している白印刷層３３２上面、絵柄印刷層３３３上面に、凹凸を有するマット部３６０を設けた。マット部３６０は、例えば、カード製造に用いるプレス板に凹凸を設けておき、カード上面に賦形して設ければよい。
これにより、カード３０１は、範囲Ｂ３０１の銀隠蔽印刷層３３１の銀色が透けてしまっても、一層目立たなくぼかすことができ、また、印刷ズレがあった場合でも、一層目立たなくぼかすことができる。
なお、本実施形態のマット部３６０は、第２実施形態のカード２０１に設けてもよい。この場合にも、本実施形態と同様な効果を奏する。
【００３０】
（第４実施形態）
次に、本発明の第４実施形態について説明する。
図５は、第４実施形態のカード４０１の平面図、断面図（図１に対応する図）である。
なお、図５（ｂ）は、層構成を明確にするために、印刷層の厚みを大きくしており、層間に空間を有するように示すが、実際には、図５（ｃ）にように、このような大きな空間は生じず、また、層間（ハッチング部）には、接着材等が充填される。
カード４０１は、上透明基材４３０下面に、上絵柄印刷層４３３、白印刷層４３２、銀隠蔽印刷層４３１が順に設けられている。カード４０１は、上面側の磁気ストライプが設けられておらず、これを隠蔽する必要がない。このため、カード４０１は、上透明基材４３０下面に、印刷層を配置している。
印刷層の積層順は、第１実施形態と同様に、下側Ｚ１から順に、銀隠蔽印刷層４３１、白印刷層４３２、上絵柄印刷層４３３となる。
【００３１】
絵柄印刷層４３３の印刷内容は、上透明基材４３０を通して観察される。
窓部４５０を観察した態様は、第１実施形態とほとんど同じである。
但し、カード４０１は、上絵柄印刷層４３３が上透明基材４３０下面に形成されるので、上下方向Ｚにおいて、上絵柄印刷層４３３及び表示部１２間の距離が短くなる。このため、窓部４５０内部を観察した場合、カード４０１は、上絵柄印刷層４３３及び表示部１２の一体感を向上でき、質感を向上できる。
【００３２】
以上説明したように、カード４０１は、窓部４５０内部を観察した場合の質感を向上できる。また、カード４０１は、上透明基材４３０下面に印刷層が配置されるので、印刷層の汚損を抑制できる。
【００３３】
なお、このように、上透明基材４３０下面に印刷層が配置する構成は、第１から第３実施形態に適用してもよい。この場合にも、本実施形態と同様な効果を奏する。
【００３４】
（第５実施形態）
次に、本発明の第５実施形態について説明する。
図６は、第５実施形態のカード５０１の平面図、断面図（図１に対応する図）である。
本実施形態のカード５０１は、第１実施形態から白印刷層３２（図１参照）を削除した。
上絵柄印刷層５３３は、デザインが銀色系のものである。このため、上絵柄印刷層５３３は、白印刷層３２を設けずに、銀隠蔽印刷層５３１上に直接印刷しても、所望の色彩に発色できる。
【００３５】
窓部５５０の周囲は、銀隠蔽印刷層５３１の縁部５３１ａが最も内側であり、その外側に上絵柄印刷層５３３の縁部５３３ａが観察される。この場合、上絵柄印刷層５３３のデザインが銀色系であるため、看者が窓部５５０周囲を観察しても、違和感はない。
【００３６】
以上説明したように、本実施形態のカード５５０は、上絵柄印刷層５３３のデザインが銀色系である場合に、白印刷層を削除することにより、コストを低減できる。
なお、本実施形態のカード５５０は、第４実施形態のように変形して、上透明基材５３０の下面に、上絵柄印刷層５３３を設けてもよい。この場合にも、第４実施形態と同様な汚損抑制の効果を奏する。
【００３７】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３８】
（変形形態）
（１）第１から第３、第５実施形態において、上絵柄印刷層、下絵柄印刷層は、露出している例を示したが、これに限定されない。例えば、これらの表面に、透明な保護層であるオーバーシート層（厚さ６０μｍ程度）を設けてもよい。これにより、上絵柄印刷層、下絵柄印刷層の汚損を抑制できる。
【００３９】
（２）実施形態において、下基材は、透光性を有する下透明基材である例を説明したが、これに限定されない。下基材は、例えば、白色等の不透明基材であってもよい。この場合には、下絵柄印刷層の色彩を、より正確に表現できる。
【符号の説明】
【００４０】
１，２０１，３０１，４０１  カード
１０  電子モジュール
１２  表示部
２０，２２０，３２０，４２０，５２０  下透明基材
３０，２３０，３３０，４３０，５３０  上透明基材
３１，２３１，３３１，４３１，５３１  銀隠蔽印刷層
３２，２３２，３３２，４３２  白印刷層
３３，２３３，３３３，４３３，５３３  上絵柄印刷層
５０，２５０，４５０，５５０  窓部
【図１】
0006015148.tif 000002
【図２】
0006015148.tif 000003
【図３】
0006015148.tif 000004
【図４】
0006015148.tif 000005
【図５】
0006015148.tif 000006
【図６】
0006015148.tif 000007